(57)【特許請求の範囲】
【請求項１】
円筒形状の部材であって、下部中央にブラシ棒(11)を挟んでいて、下部の内周縁に雌ねじ(12)が形成されたキャップ(10)と;
円筒形状の部材であって、上部は開口されて下部は閉鎖され、化粧品の内容物を入れる下部容器(20)と;
前記の下部容器(20)の上部開口部を通じて挿入される上下部が開口された円筒形管(30)と;
前記円筒形管(30)の上部の外周縁に結合される部材であり、前記キャップ(10)の雌ねじと結合されるように上部外周縁に形成された雄ねじ(41)と、前記雄ねじ(41)の下部にもっと大きな直径に拡張形成され、前記下部容器(20)の上部の外周縁に結合される拡管部(42)と、円柱形バルブであって、円筒形管(30)の外周縁に挟まれて下部容器(20)内の化粧品の内容物が円筒形管(30)の内部に流入される時、下降しながら下部容器(20)内の化粧品の内容物を下部に移動させる円柱形バルブ(43)からなるショルダー部材(40)と;
前記円筒形管(30)の内周縁で上下移動する上下部が開口された円筒形状の部材であって、下部面にバルブ体(50)が挟まるはめ付け部(61)が形成され、上部の内周縁にはワイパー部材(62)が挿入されているブラシ棒受容部材(60)からなるのを特徴とするリップグロス容器。
【請求項２】
前記バルブ体(50)は、前記ブラシ棒受容部材(60)のはめ付け部(61)に挟まれ、中央に貫通ホール(51a)が形成され、下部のスプリング(52)を圧縮できるようにフランジ(51b)が形成され、下部にピストン(53)が挟まれるピストンはめ部(51c)が下部に突設されたフランジ部材(51)と;
前記フランジ部材(51)のピストンはめ部(51c)の外周縁で上下移動するように前記スプリング(52)の下部に接触される円筒形状のスプリング下段支持部材(54)と;
前記スプリング下段支持部材(54)の下部に挟まれ、前記ピストン(53)の外周縁に挿入されている円筒形バルブ(55)が内周縁に密着する円筒形状のシリンダー(56)と;
前記シリンダー(56)の下部に挿入され、下部ホール(56a)を通じてシリンダー(56)内に化粧品の内容物を流入されるボール形状のチェックバルブ(57)からなるのを特徴とする請求項1に記載されたリップグロス容器。
【請求項３】
前記シリンダー(56)の外周縁の下部には円柱形ホーム(56b)が形成され、前記円筒形管(30)の内周縁の下段に円柱形に突設された円柱形突起(31)が挿入されて結合されることを特徴とする請求項2に記載されたリップグロス容器。
【請求項４】
前記ピストン(53)の下部外周縁には水平に二つのホール(53a)が形成され、前記シリンダー(56)内の化粧品の内容物をピストン(53)の中央ホール(53b)に流入されるようにして、前記ピストン(53)の最下段には拡管された閉鎖突起(53c)が形成されてシリンダー(56)の内部の下端に形成された凹部(56c)に挿入され、下部容器(20)内の化粧品の内容物がシリンダー(56)内に流入されないように遮断することを特徴とする請求項2に記載されたリップグロス容器。
【請求項５】
前記ブラシ棒(11)はその下段に化粧品の内容物をつけて塗れる塗布チップ(11a)と、
その上部に拡管された部分で前記のワイパー部材(62)とブラシ棒受容部材(60)を押すように形成された上部拡管部(11b)を含めることを特徴とする請求項1に記載されたリップグロス容器。
【発明の詳細な説明】
【技術分野】
【０００１】
本発明はリップグロス容器に関するもので, より詳しくは使用しているリップグロスの塗布チップに付いている化粧品と容器内の化粧品がお互いに隔離された空間にあるようにすることで使用している化粧品によって容器内の化粧品が汚染されないようにしたリップグロスの容器に関するものである。 
【背景技術】
【０００２】
一般的に女性が唇を保護したり, 唇を健康で美しく表現する目的でリップグロスまたは口紅を使うようになる。
【０００３】
前記のリップグロスとリップスティックは, 共に唇を美しくするのに使われる化粧品で, 口紅は口を塗布してしっとり感を維持させる役割をするが, 唇を多様な色調で演出しようとする時に主に使う化粧品であり, リップグロスは唇を多様な色調で演出するよりは,唇が乾燥することを防止すると同時に潤いを維持できるようにするのが目的であるため, 老若男女を問わず多様な層で使われる。
【０００４】
前記で説明した化粧品の中で, 唇のしっとり感を維持させることを使用目的としているリップグロスは, 製造販売される容器のタイプによって使い方が異なる。
【０００５】
つまり, リップグロスが固形の場合は, バー(bar)形態のリップグロスを容器から突出させて使うようになったリップスティックタイプのリップグロスがあり, 粘性のリップグロスをチューブ容器に収納してチューブ用器の先端に装着した塗布チップを唇に密着させた状態でチューブ容器を押しながら唇に塗るようになったリップグロスがあり, 容器に受容されたリップグロスを蓋にブラシ棒を媒介にして設置された塗布チップにリップグロスを付けて唇にリップグロスを塗布するようになったことがある。
【０００６】
このようなリップグロス容器は, 容器とこの容器の開口部にねじ結合で着脱する蓋と, この蓋に一体で具備される塗布チップを持つブラシ棒と, 前記容器の上縁部にかけて設置され, 容器内部に受容されたリプグロスの油成分が蒸発することを遮断及びリプグロスが付いた塗布チップの引き出し時に適正量で 扱くワイパーの構成が通常的の構成としてよく知られている。
【０００７】
このような従来の通常的のリップグロス容器の構造においては, 塗布チップの化粧品を唇に塗るためにリップグロス容器内部で外部にブラシ棒を取り出した時と入れるとき, 容器開口部周囲にゲル形の化粧品が開口部周辺について外部に露出して化粧品が空気中に汚染されるだけでなく, 容器内の化粧品と使用しているリップグロスの塗布チップに付いている化粧品が同じ空間にあって, 使用しているリブグロスの汚染された化粧品が容器内の化粧品を汚染させる問題点がある。 
【発明の概要】
【発明が解決しようとする課題】
【０００８】
本発明は前記の従来の技術の要望に応えるために発明されたもので, 使用しているリップグロスの塗布チップに付いている化粧品と容器内の化粧品がお互いに隔離された空間にあるようにして使用している化粧品によって容器内の化粧品が汚染されないようにしたリップグロスの容器を提供することにある。
【課題を解決するための手段】
【０００９】
本発明の第1実施例によるリップグロス容器は、円筒形状の部材であって  下部中央にブラシ棒(11)を挟んでいて、下部の内周縁に雌ねじ(12)が形成されたキャップ(10)と; 円筒形状の部材であって、上部は開口されて下部は閉鎖され、化粧品の内容物を入れる下部容器(20)と; 前記の下部容器(20)の上部開口部を通じて挿入される上下部が開口された円筒形管(30)と; 前記円筒形管(30)の上部の外周縁に結合される部材であり、前記キャップ(10)の雌ねじと結合されるように上部外周縁に形成された雄ねじ(41)と、前記雄ねじ(41)の下部にもっと大きな直径に拡張形成され、前記下部容器(20)の上部の外周縁に結合される拡管部(42)と、円柱形バルブであって、円筒形管(30)の外周縁に挟まれて下部容器(20)内の化粧品の内容物が円筒形管(30)の内部に流入される時、下降しながら下部容器(20)内の化粧品の内容物を下部に移動させる円柱形バルブ(43)からなるショルダー部材(40)と; 前記円筒形管(30)の内周縁で上下移動する上下部が開口された円筒形状の部材であって、下部面にバルブ体(50)が挟まるはめ付け部(61)が形成され、上部の内周縁にはワイパー部材(62)が挿入されているブラシ棒受容部材(60)からなるのを特徴とする。
【００１０】
前記バルブ体(50)は、前記ブラシ棒受容部材(60)のはめ付け部(61)に挟まれ、中央に貫通ホール(51a)が形成され、下部のスプリング(52)を圧縮できるようにフランジ(51b)が形成され、下部にピストン(53)が挟まれるピストンはめ部(51c)が下部に突設されたフランジ部材(51)と; 前記フランジ部材(51)のピストンはめ部(51c)の外周縁で上下移動するように前記スプリング(52)の下部に接触される円筒形状のスプリング下段支持部材(54)と; 前記スプリング下段支持部材(54)の下部に挟まれ、前記ピストン(53)の外周縁に挿入されている円筒形バルブ(55)が内周縁に密着する円筒形状のシリンダー(56)と; 前記シリンダー(56)の下部に挿入され、下部ホール(56a)を通じてシリンダー(56)内に化粧品の内容物を流入されるボール形状のチェックバルブ(57)からなるのを特徴とする。
【００１１】
前記シリンダー(56)の外周縁の下部には円柱形ホーム(56b)が形成され、前記円筒形管(30)の内周縁の下段に円柱形に突設された円柱形突起(31)が挿入されて結合されることを特徴とする。
【００１２】
前記ピストン(53)の下部外周縁には水平に二つのホール(53a)が形成され、前記シリンダー(56)内の化粧品の内容物をピストン(53)の中央ホール(53b)に流入されることを特徴とする。
【００１３】
前記円筒形管(30)の上部外周縁と下部容器(20)の上部内周縁に密着して、下部容器(20)内の化粧品の内容物に外部の空気が流入されないように密封する円柱形バルブ(43)をもっと含めることを特徴とする。
【００１４】
前記ブラシ棒(11)はその下段に化粧品の内容物をつけて塗れる塗布チップ(11a)と、その上部に拡管された部分で前記のワイパー部材(62)とブラシ棒受容部材(60)を押すように形成された上部拡管部(11b)を含めることを特徴とする。 
【発明の効果】
【００１５】
本発明のリップグロス容器によると、ブラシ棒受容部材(60)内に流入された化粧品の内容物と下部容器(20)内の化粧品の内容物が混在していないようになっていて、使用している化粧品によって容器内の化粧品が汚染されないようにする効果を持っている。 
【図面の簡単な説明】
【００１６】
【図１】本発明のリップグロス容器を図示した分解断面図である。
【図２】本発明のリップグロス容器のキャップが閉まった状態を図示した組立断面図である。
【図３】本発明のリップグロス容器のキャップが開かれた状態を図示した組立断面図である。
【図４】本発明のリップグロス容器用バルブを図示した分解断面図である。
【図５】本発明のリップグロス容器用バルブが作動される前を図示した組立断面図である
【図６】本発明のリップグロス容器用バルブが作動される時を図示した組立断面図である。
【発明を実施するための最良の形態】
【００１７】
以下, 本発明の好ましい、実施例を添付した図面を参照して当該分野の通常の知識を持つ者が容易に実施できるように説明することとする。添付された図面から構成に表記された図面番号は, 他の図面でも同一の構成を表記する際にできるだけ同一の図面番号を使用していることに留意しなければならない。又, 本発明の説明することにおいて, 関連された公知の機能又は公知の構成対する具体的な説明が本発明の要旨を不明確と判断される場合は, その詳細な説明を省略する。そして図面に提示された特徴は説明の容易さのために拡大又は縮小又は単純化されたもので, 図面及びその構成要素は必ず適切な比率では図示されてはいない。しかし当業者ならこのような詳細事項を容易に理解できる。
【００１８】
'第1'、'第2'などのように、序数を含む用語は多様な構成要素を説明するのに使用できるが、前記の構成要素は前記用語によって限定されではない。前記の用語は一つの構成要素を他の構成要素から区別する目的のみに使用される。例えば、本発明の権利範囲を超えないで第1構成要素は第2構成要素と命名されることがあり、同じように第2構成要素も第1構成要素と命名されることができる。 "及び/又は"という用語は, 複数の関連する記載された項目の組み合わせ又は複数の関連する記載された項目の中にいずれかを含む。
【００１９】
また、'全面'、'後面'、'上面'、'下面'などと同じ図面に見えるものを基準に記述された相対的な用語は'第1'、'第2'などのような序数に代替されることができる。
【００２０】
'第1'、'第2'などの序数においてその順序は言及された手序又は任意で定められたものとして、その手序は必要に応じて任意に変更されることができる。
【００２１】
本発明で用いた用語は, 単に特定の実施例を説明するために使われたもので, 本発明を限定しようという意図ではない。単数の表現は文脈上は明白に思いがけない限り、複数の表現を含む。 本出願で, "含む"又は"持つ"などの用語は明細書上に記載された特徴, 数字, 段階, 動作, 構成要素, 部品又はこれらを組み合わせたものが存在することを指定しようとするのであって, それ一つ又は以上の他の特徴や数字, 段階, 動作, 構成要素, 部品又はこれらを組み合わせたものなどの存在又は付加の可能性があらかじめ排除しないものと理解されなければならない。
【００２２】
異なって定義されない限り, 技術的あるいは科学的な用語も含めて, ここで使用されるすべての用語は, 本発明の属する技術分野において, 通常の知識を持った者によって一般的に理解されるものと同一の意味を持っている。一般的に使用される辞書に定義されているような用語は, 関連する技術の文脈上持つ意味と一致する意味を持つものと解釈されるべきであり, 本出願で明らかに定義しない限り, 理想的であり, 過度に形式的な意味に解釈されない。
【００２３】
以下, 本発明の好ましい実施例を添付された図面を参照して詳細に説明することとする。なお, 本発明の説明することにおいて関連された公知構成又は機能についての具体的な説明が本発明の要旨をぼやかすことができると判断される場合にはその詳細な説明を省略する。
[実施例]
【００２４】
図1は本発明のリップグロス容器を図示した分解断面図で、図2は本発明のリップグロス容器のキャップが閉まった状態を図示した組立断面図であり、図3は本発明のリップグロス容器のキャップが開かれた状態を図示した組立断面図であり、図4は本発明のリップグロス容器用バルブを図示した分解断面図であり、図5は本発明のリップグロス容器用バルブが作動される前を図示した組立断面図であり、図6は本発明のリップグロス容器用バルブが作動される時を図示した組立断面図である。
【００２５】
図1乃至図6に図示されたのように、本発明のリップグロス容器は、円筒形状の部材として下部中央にブラシ棒(11)が挟んでいて、下部の内周縁に雌ねじ(12)が形成されたキャップ(10)と; 円筒形状の部材として上部は開口されて下部は閉鎖され、化粧品の内容物を入れる下部容器(20)と; 前記の下部容器(20)の上部開口部を通じて挿入される上下部が開口された円筒形管(30)と; 前記円筒形管(30)の上部の外周縁に結合される部材であり、前記キャップ(10)の雌ねじと結合されるように上部外周縁に形成された雄ねじ(41)と、前記雄ねじ(41)の下部にもっと大きな直径に拡張形成され、前記下部容器(20)の上部の外周縁に結合される拡管部(42)と、円柱形バルブとして円筒形管(30)の外周縁に挟まれて下部容器(20)内の化粧品の内容物が円筒形管(30)の内部に流入される時、下降しながら下部容器(20)内の化粧品の内容物を下部に移動させる円柱形バルブ(43)からなるショルダー部材(40)と; 前記円筒形管(30)の内周縁で上下移動する上下部が開口された円筒形状の部材として下部面にバルブ体(50)が挟まるはめ付け部(61)が形成され、上部の内周縁にはワイパー部材(62)が挿入されているブラシ棒受容部材(60)からなるのを特徴とする。 
【００２６】
前記バルブ体(50)は、前記ブラシ棒受容部材(60)のはめ付け部(61)に挟まれ、中央に貫通ホール(51a)が形成され、下部のスプリング(52)を圧縮できるようにフランジ(51b)が形成され、下部にピストン(53)が挟まれるピストンはめ部(51c)が下部に突設されたフランジ部材(51)と; 前記フランジ部材(51)のピストンはめ部(51c)の外周縁で上下移動するように前記スプリング(52)の下部に接触される円筒形状のスプリング下段支持部材(54)と; 前記スプリング下段支持部材(54)の下部に挟まれ、前記ピストン(53)の外周縁に挿入されている円筒形バルブ(55)が内周縁に密着する円筒形状のシリンダー(56)と; 前記シリンダー(56)の下部に挿入され、下部ホール(56a)を通じてシリンダー(56)内に化粧品の内容物を流入されるようにするボール形状のチェックバルブ(57)からなるのを特徴とする。
【００２７】
前記ショルダー部材(40)の上部の内壁に形成された多数のホームに前記円筒形管(30)の外周縁に形成された突起が挿入されて強固に結合される。
【００２８】
そして、前記拡管部(42)の内周縁には形成されたホーム(42a)に下部容器(20)の上部外周縁に形成された突起(21)が挿入されて強固に結合される。 
【００２９】
前記シリンダー(56)の外周縁の下部には円柱形ホーム(56b)が形成され、前記円筒形管(30)の内周縁の下段に円柱形に突設された円柱形突起(31)が挿入されて結合される。    
【００３０】
前記ピストン(53)の下部外周縁には水平に二つのホール(53a)が形成され、前記シリンダー(56)内の化粧品の内容物をピストン(53)の中央ホール(53b)に流入されるようにして、前記ピストン(53)の最下段には拡管された閉鎖突起(53c)が形成されてシリンダー(56)の内部の下端に形成された凹部(56c)に挿入され、下部容器(20)内の化粧品の内容物がシリンダー(56)内に流入されないように遮断することになる。
【００３１】
未説明符号11aはブラシ棒(11)の下段に付着された塗布チップで、11bはブラシ棒(11)の上部に拡管された部分の上部拡管部である。
【００３２】
次に本発明のリップグロス容器の作動及び効果を説明する。 
【００３３】
先ず、リップグロス容器の組み立て過程を見てみると、先に、下部の容器(20)の上部開口部を通じて円筒形管(30)とショルダー部材(40)を挿入結合して、前記円筒形管(30)の内部下段にバルブ体(50)を挿入して下端まで押し入れば、バルブ体(50)のシリンダー(56)下段外周縁に形成された円柱形ホーム(56b)に、円筒形管(30)の下段内周縁に形成された円柱形突起(31)が挿入されて結合される。 
【００３４】
前記バルブ体(50)のフランジ部材(51)の上段には前記ブラシ棒受容部材(60)のはめ付け部(61)に挟まれて結合される。
【００３５】
前記ブラシ棒受容部材(60)内には塗布チップ(11a)とともにブラシ棒(11)が挿入され、キャップ(10)の雌ねじ(12)はショルダー部材(40)の雄ねじ(41)とネジ結合される。
【００３６】
このように組み立てられた状態が図2aと同じである。 
【００３７】
このリップグロス容器を使用するため、図3のようにキャップ(10)を開くと、キャップ(10)が上昇するようになって、キャップ(10)の下段に連結されたブラシ棒(11)の塗布チップ(11a)に付いた化粧品で唇などに塗るようになる。
【００３８】
化粧を終えた後、キャップ(10)を閉めるようになると、つまり、キャップ(10)の雌ねじ(12)とショルダー部材(40)の雄ねじ(41)がねじ結合させると、ブラシ棒(11)の上部拡管部(11b)がワイパー部材(62)とブラシ棒受容部材(60)の上段面を押すようになり、このブラシ棒受容部材(60)は下降しながらその下部に結合されているフランジ部材(51)を押すことになる。このフランジ部材(51)は、下降しながらフランジ(51b)下面のスプリング(52)を圧縮するようになり、ピストンはめ部(51c)に挿入されているピストン(53)が先に下降して、ピストンはめ部(51c)の下段面がピストン(53)の外周縁に挿入されている円筒形バルブ(55)を下部に推しになってシリンダー(56)の内壁に密着しながら下降することになる。 
【００３９】
この円筒型バルブ(55)が下降しながらシリンダー(56)内の空間が小さくなり、圧縮されてチェックバルブ(57)を通じて下部容器(20)内の化粧品の内容物がシリンダー(56)内に流入されて、このシリンダー(56)内の化粧品の内容物はピストン(53)のホール(53a)を通じて、中央ホール(53b)に流入されて、フランジ部材(51)の中央にある貫通ホール(51a)に流入されて塗布チップ(11a)があるブラシ棒受容部材(60)内に流入されて塗布チップ(11a)に塗布される。
【００４０】
同時に前記ピストン(53)が下降しながらピストン(53)の最下段閉鎖突起(53c)がシリンダー(56)の下段内周縁に形成された凹部(56c)に挿入され、ピストン(53)の側方向に化粧品の内容物が流入されないように遮断することになる。つまり、下部の容器(20)内の化粧品の内容物とシリンダー(56)内の化粧品の内容物を隔離させ、外部の空気が流入されないので下部の容器(20)内の化粧品の内容物が汚染されないようになる。
【００４１】
このような状態でリップグロスを塗るためにキャップ(10)を開くようになると、スプリング(52)の圧縮が解除されてフランジ部材(51)とピストン(53)がシリンダー(56)内で上昇しながら円筒型バルブ(55)によってホール(53a)が閉鎖される。
【００４２】
このようにブラシ棒受容部材(60)内に流入された化粧品の内容物と下部容器(20)内の化粧品の内容物が混在していないようになっていて、使用している化粧品によって容器内の化粧品が汚染されないようにする効果がある。 
【００４３】
以上のとおり, 本発明の詳細な説明で具体的な実施例について説明したが, 本発明の技術が当業者によって容易に変形実施される可能性が自明であり, このような変形された実施例は本発明の特許請求の範囲に記載された技術思想に含まれることであろう。
【符号の説明】
【００４４】
10 : キャップ                     
11 : ブラシ棒
11a :  塗布チップ              
11b : 上部拡管部
12 : 雌ねじ                       
20 : 下部容器
30 : 円筒形管                     
31 : 円柱形突起
40 : ショルダー部材                   
41 : 雄ねじ
42 : 拡管部                       
43 : 円柱形バルブ
50 : バルブ体                     
51 : フランジ部材 
51a : 貫通ホール                  
51b : フランジ 
51c : ピストンはめ部             
52 : スプリング
53 : ピストン                     
53a : ホール
53b : 中央ホール                  
53c : 閉鎖突起
54 : スプリング下段支持部材       
55 : 円筒形バルブ
56 : シリンダー                   
56a : 下部ホール
56c : 凹部 
57 : チェックバルブ
60 : ブラシ棒受容部材             
61 : はめ付け部
62 : ワイパー部材
【図１】
0006891373.tif 000002
【図２】
0006891373.tif 000003
【図３】
0006891373.tif 000004
【図４】
0006891373.tif 000005
【図５】
0006891373.tif 000006
【図６】
0006891373.tif 000007